Podtech/llm-jp-corpus-v4-ja_patent huggingface dataset:
(57)【要約】【課題】  本発明は、冷蔵庫等に、すでにメモを留めてあるマグネットクリップを外さないで追加のメモを片手で差し込むことが出来るようにすることを目的とする。【解決手段】  両面に吸着力があるマグネットで、冷蔵庫等にメモを留めてある吸着面の反対面である背面に、鉄板のようなマグネットに吸着する金属板等を乗せ吸着させ、その金属板等とマグネット背面との間に、すでに留めてあるメモとは、別のあらたのメモを片手で差し込むことが出来るようにする。【選択図】図２
2012020564.tif 000002
【特許請求の範囲】
【請求項１】
両面に吸着力がある板状マグネットで、従前のようにメモを留めるマグネットの吸着面の反対面である背面に、鉄板のようなマグネットに吸着する金属板等を乗せて吸着させ、その金属板等とマグネット背面との間に、あらたのメモを挟み込めるようにしたことを特徴とする、メモを差し込むことが出来るマグネットクリップ。
【請求項２】
片面に吸着力がある板状マグネットで、吸着力が無い片面はメモを留める機能を持たせず、接着糊や鋲等で壁面に留め、吸着力のある背面に、鉄板のようなマグネットに吸着する金属板等を乗せて吸着させ、その金属板等とマグネット背面との間に、メモを挟み込めるようにしたことを特徴とする、メモを差し込むことが出来るマグネットクリップ。
【発明の詳細な説明】
【技術分野】
【０００１】本発明は、冷蔵庫等にメモを留めてあるマグネットクリップを、外さないで追加のメモを片手で差し込むことが出来るようにしたものである。
【背景技術】
【０００２】従来のマグネットクリップはメモ等を留めてある場合、マグネットクリップを外して追加のメモを重ねて、再度、留めていた。
【発明の概要】
【発明が解決しようとする課題】
【０００３】冷蔵庫等にマグネットクリップで留めてあるメモに、関連のメモを追加しようとした場合マグネットと留めてあるメモを両手で一旦外し、追加のメモを加えて、あらためて、留め直さなければならない難点があった。本発明はこの課題を解消するためになされたものである。
【課題を解決するための手段】
【０００４】そこで、本発明にあっては、上記課題を解決するため、両面に吸着力があるマグネットで冷蔵庫等にメモを留めてある吸着面の反対面である背面に、鉄板のようなマグネットに吸着する金属板等を乗せ吸着させ、その金属板等とマグネット背面との間に、すでに留めてあるメモとは関係なく、あらたのメモを片手で挟み込めるようにしたものである。
【発明の効果】
【０００５】一個のマグネットクリップで、二つの機能を備えているため、メモ用紙を留める従来の方法だけでも使用できるが、その後、留めてあるメモと関連事項のメモをマグネットを外さずに片手で追加することも容易にできる。また先にマグネットクリップだけを冷蔵庫等に吸着させておき、後から必要なメモを片手で差し込んで留めることもできる二つ目の機能だけで使用してもよい。従来よりあるマグネットクリップに二つ目の機能が具備されたため、使用方法が広がり、用途が増えて、利便性が増した。
【図面の簡単な説明】
【０００６】
【図１】本発明の正面図である。
【図２】本発明の使用状況を示す断面図である。
【発明を実施するための形態】
【０００７】以下、本発明の実施の形態について説明する。
（イ）両面に吸着力があるマグネット１の背面にマグネット１に吸着する金属板３が乗っている。
（ロ）金属板３は上部に二箇所穴をあけ、線状金具２を通し下部のマグネット１に個定されているが、穴は線状金具２の太さより大きく、線状金具２の高さも金属板３の厚さの数倍に設定されているので、金属板３は上下に可動できる。
（ハ）金属板３の下部はメモ用紙を挿入するため、上方に湾曲させ、線状金具２を通してある金属板３の上部も、マグネット１と金属板３の接触面積を調節し、吸着力を適切にするため、多少上方に湾曲させてある。
【符号の説明】
【０００８】１，マグネット
２，線状金具
３，金属板
４，メモ用紙
【図１】
2012020564.tif 000003
【図２】
2012020564.tif 000004
(57)【要約】      （修正有）【課題】洗浄する瓶及びボトル等容器の形状に関係無く、簡単に完全に洗浄できて、収納も場所を取らない瓶及びボトル等容器洗浄用ブラシを提供する。【解決手段】ブラシをＳ字型にする事により球形に植毛したように放射状に糸が出ている状態になり、またブラシセンターの針金の先端が糸の中に入り込み洗う瓶やボトルの内面を傷付ける事がない。鎖の付いたブラシを瓶やボトルの大きさにかかわらず中に落とし込み洗浄液をいれその容器を振り中に入ったブラシを動かすことにより簡単に洗う事が出来る。【選択図】図２
2012020270.tif 000002
【特許請求の範囲】
【請求項１】
ブラシに鎖を連結した構造の瓶及びボトル洗浄用具
【請求項２】
ブラシをＳ字型にした構造
【発明の詳細な説明】
【技術分野】
【０００１】本発明は瓶及びボトル洗浄用具に関する。
【背景技術】
【０００２】従来の瓶及びボトル洗浄の洗浄ブラシはなんらかの柄がついており瓶やボトルの大きさにより数種類そろえなければならなかった。
【特許文献１】  特許公開  ２００５−１９３１８０
【特許文献２】  特許公開  平１０−３０５０００
【発明の開示】
【発明が解決しようとする課題】
【０００３】従来の瓶及びボトル洗浄の洗浄ブラシはなんらかの形で柄がついており瓶やボトルの大きさにより数種類そろえなければならなかった。
【課題を解決するための手段】
【０００４】本発明はブラシから柄をなくし数センチの鎖を連結した構造。【０００５】この鎖の付いたブラシを瓶やボトルの大きさにかかわらず中に落とし込み洗浄液をいれその容器を振り中に入ったブラシを動かすことにより簡単に洗う事が出来る。【０００６】またこのブラシをＳ字型にする事により図１のブラシのように糸が水平に一方向のみでなく球形に植毛したように放射状に糸が出ている状態になる。【０００７】ブラシをＳ字型にする事によりブラシセンターの針金の先端が糸の中に入り込み洗う瓶やボトルの内面を傷付ける事がない。【０００８】この糸の状態のため  洗う瓶やボトルの内面に簡単に接触し洗浄力をアップする事が出来る。【０００９】またブラシを取り出す時は容器を逆さにするとブラシに連結している鎖が口から出てそれを引くことにより簡単に取り出せる。
【発明の効果】
【００１０】この発明は構造が簡単で安く克つ安全に大量生産出来る。
【発明を実施するための最良の形態】
【００１１】図２に示す用にＳ字型にしたブラシ（１）に鎖（２）を連結した構造。
【図面の簡単な説明】
【００１２】
【図１】Ｓ字型にする前のブラシ
【図２】製品になったＳ字型したブラシの状態
【符号の説明】
【００１３】１  ブラシ
２  鎖
【図１】
2012020270.tif 000003
【図２】
2012020270.tif 000004
(57)【要約】【課題】室内で飾る鯉のぼりは、同位置方向の水平固定、または垂れ下がった状態であり眺めていても気持ちを楽しませるものでなかった。【解決手段】飾り台５に設置されたポール部１に吹流し２の揺動軸２ａ、鯉３の揺動軸３ａを連結して、吹流し２、鯉３の向きを任意に変えることができる構成にすることで、風になびいて泳ぐ鯉のぼりを表現することできる。このことで、眺めていると気持ちがやすらぎ、楽しませる室内用鯉のぼりを提供できる。【選択図】図１
2012239711.tif 000002
【特許請求の範囲】
【請求項１】
ポール部と吹流し、鯉の揺動軸を連結したことを特徴とする鯉のぼり。
【請求項２】
揺動軸で  吹流し、鯉が風になびくように泳ぐ姿勢を表現できることを
特徴とする鯉のぼり。
【請求項３】
揺動軸が設けられた口部の外周に、和紙等に表現した吹流し、鯉の胴体、上口、および下口を
貼りつけたことを特徴とする鯉のぼり。
【請求項４】
ポール部と飾り台が、回転移動できることを特徴とする鯉のぼり。
【請求項５】
回転球、ポール部、吹流し、鯉、および飾り台の組み付け、組み外しが、
容易にできることを特徴とする鯉のぼり。
【発明の詳細な説明】
【技術分野】
【０００１】
この発明は、室内で風になびくように泳ぐ姿勢を表現する鯉のぼりに関する。
【背景技術】
【０００２】
従来、室内で飾る鯉のぼりは、一般的に鯉と鯉の間を糸等でつなぎ、吊り下げたものである。
【先行技術文献】
【特許文献】
【０００３】
【特許文献１】実登３１５５５１号公報
【発明の概要】
【発明が解決しようとする課題】
【０００４】
しかしながら、以上の技術によれば、鯉と鯉を糸等でつなぎ、吊り下げているため、
それぞれの鯉が、風になびくような姿勢を表現することができなかった。
そこで、この発明は、風になびくように泳ぐ鯉のぼりを提供することを課題とする。
【課題を解決するための手段】
【０００５】
以上の課題を解決するために、第一発明は、ポール部と吹流し、鯉との連結部を個別に
設けたことを特徴とする鯉のぼりである。
第二発明は、吹流し、鯉の口部に揺動機能の連結部を設けたことを特徴とする鯉のぼりである。
第三発明は、ポール部と飾り台を回転機能の連結部を設けたことを特徴とする
こいのぼりである。
【発明の効果】
【０００６】
第一発明、第二発明、および第三発明によれば、鯉のぼりに個別の連結部、揺動機能、
および回転機能を設けたので、風になびくように泳ぐ姿勢を表現できる。
【図面の簡単な説明】
【０００７】
【図１】この第一発明と第三発明の実施形態を示す斜視図である。
【図２】この第二発明の実施形態を示す斜視図である。
【発明を実施するための形態】
【０００８】
以下、本発明の実施形態について説明する。
（１）図１に示す第一発明、第三発明は、樹脂、竹、または木でできたポール部１は、
吹流し２、鯉３を連結する連結穴Ａ１ａ、回転球４を連結する連結穴Ｂ１ｂ、および
樹脂、竹、木でできた飾り台５の連結穴５と接続できる連結軸１ｃが設けられている。
（２）図２に示す第二発明は、吹流し２の口部２ｃに揺動軸２ａに挿入した円心軸２ｂが、
鯉３の口部３ｃに揺動軸３ａに挿入した円心軸３ｂが設けられている。
【実施例】
【０００９】
この実施形態によれば、樹脂、竹、または木でできた吹流し口部２ｃの外周部に和紙等でできた
吹流し胴体２ｄ、上口部２ｅ、下口部２ｆを貼りつければ、吹流し２ができる。
揺動部２ａを固定して吹流し口部２ｃを揺動すれば、吹流し２の方向を任意に移動できる。
鯉３についても同様である。
ポール部１の連結穴１ａに吹流し２の揺動軸２ａ、鯉３の揺動軸３ａを挿入連結することで、
吹流し２、鯉３が、風になびくように個々に泳ぐ姿勢を表現できる。
また、ポール部１の連結軸１ｃを飾り台５の連結穴Ｃ５ａに挿入することで、
鯉のぼりが回転移動できる。
【符号の説明】
【００１０】
１．  ポール部
１ａ．  連結穴Ａ
１ｂ．  連結穴Ｂ
１ｃ．  連結軸
２．  吹流し
２ａ，３ａ．  揺動軸
２ｂ、３ｂ．  円心軸
２ｃ、３ｃ．  口部
２ｄ、３ｄ．  胴体
２ｅ、３ｅ．  上口部
２ｆ、３ｆ．  下口部
４．  回転球
５．  飾り台
５ａ．  連結穴Ｃ
【図１】
2012239711.tif 000003
【図２】
2012239711.tif 000004
(57)【要約】      （修正有）【課題】磯焼け防止、磯焼けの再生に効果を発揮し長期間鉄イオンの溶出が持続する人工礁を提供する。【解決手段】鉄鋼工業より排出される廃棄物の微細鉄粉を活用し、砂セメントを用いて固化させた人工礁を、自然環境が破壊され劣化した魚場の海底に沈設し鉄イオンを長期にわたり溶出させ、藻の着床繁茂を計りその結果ウニ、蟹、魚類の生息出来る自然環境の回復が達成できる。【選択図】図１
2012239468.tif 000002
【特許請求の範囲】
【請求項１】
廃棄微細鉄を混入固化させたコンクリ−ト固形体及び、礫状小塊を海中に投入鉄イオンを放出させる人工礁。
【請求項２】
鉄鋼切断事に（ガス、プラズマ、その他）排出される切断滓をコンクリ−トに混入固化させた、固形体、及び礫状小塊を、海底に投入し放出される鉄イオンにより、磯焼けの再生と藻の着床に寄与する人工礁。
【発明の詳細な説明】
【課題】
日本の国土は全面海に囲まれその為入り江が多く、砂浜、磯、淺海と、海草の繁茂により、貝、魚類に恵まれ、古代より、豊富な森林と畑により、農耕民族、海浜にあっては魚業民族とが、互いに天然の恵みを供受出来る、相互関係を築いて来た。しかしながら、人口の増加と科学の発達によりそのバランスが崩れ、海浜を守る為には森林を再生させようとの機運が高まっているが、一度破壊された自然の回復は至難である。本発明者は、この磯焼けによる漁場の砂漠を防止再生すべく、科学工業より排出される鉄細粉を最高度活用し『産業廃棄物の処理に貢献）磯、及び海浜魚場の再生に寄余すべく本製品を発明した。その為に種々の手段が施工され、溶鉱炉のスラグの投入、ブロツク表面に有機物等の皮膜を付着させる等の試験、実証が行われているが、一時的な改善結果にとどまり、完全長期に渡りその効果が持続出来る方法が見いだせない現状である。
【解決手段】
この現状を打破し、半恒久的に効果が持続し藻の着床とその生育に必要な栄養素を溶出する鉄鋼細粉を混入させたコンクリ−ト固形体、及び礫状小塊を、改良しようとする海底に投入、磯（淺海）に散布して藻場や漁場として再生させる。本発明者は、この磯焼けによる漁場の砂漠化を防止して再生すべく、鉄工業より排出される鉄細粉を最高度活用し、産業廃棄物の処理に貢献し、磯、及び海浜漁場の再生に寄与すべく本製品を発明した。
【発明の簡単な説明】
【産業上の利用分野】
磯焼け防止と、磯焼けを再生させ、加えて有用な藻類を着床繁茂させる為。微細鉄、鋼切断滓を混入固化させた、ブロック叉は、砂利状の人口礫を海底に投入して、鉄イオンを溶出させ、その効果により、海藻の着床、ウニ、蟹、魚類等の繁茂成長に寄与するブロックの製作に関する。
【背景技術】コンブ、ワカメ、その他、海中に繁茂する藻類はそこに生息する種々の海洋生物、魚類、特にこれらを捕食する事で栄養のバランスを維持している人類にとっては、不可欠な資源である。この大切な資源が近年環境の変化と有害物質の発生等により、叉二化鉄、鉄イオン等の不足により海底岩礁の表面に不必要な雑藻が繁殖し、上記有用藻類の胞子の着床が阻害され、俗に言われる「磯焼け」部分が増大している、これを解決すべく大型漁礁の敷設、岩礁表面の清掃、砂利の投入、叉有機性素材を表面に塗布したブロックの施設等種多大の費用を掛け施工されているが、未だ良好な結果を得るに至ってはいない。特に溶鉱炉より排出されたスラグ等が大量に投入されているが、このスラグには鉄分は存在せず、したがって鉄イオン溶出は無い。
【発明が解決しようとする課題】
本発明によれば従来工法とは根本的に進歩した条件を採用する。それは、この人工礁の製作費用の低減、製作の簡易性、海底への敷設の簡素化を第一条件とし、第二に製作に使用する鉄イオン発生資材は、鉄鋼業より産業廃棄物としてその処理に多大の費用が必要なものを最大限活用した点にある。尚、この鉄イオン発生人工礁は、特殊な加工工場等の必要無く施設しようとする最も近い場所で生産出来る（海岸、近隣の空き地）、等、海への投入も一番必要箇所を熟知している漁業者によって小型漁船でも施設出来る構造とする。
【実施例１】この発明の人工礁の製造は、鉄イオンの、海洋への長期的放出を目的とし、それを達成する最良の方策を考案した。先ず鉄イオンの発生元となる鉄の選定、この原料は費用の必要な鉄鋼材、この為に加工された部品等は一切除外した。その材料として、鋼材を鋸盤にて切断する時に排出される微細鉄屑大きさ０．２ｍｍから０．５ｍｍ程度、もう一つは旋盤フライス等切削機械より排出される、微細鉄屑（俗名ダライコ）を砂、セメント、と混合固化させ人工礁とする。この鉄屑は、一般鉄と一緒に回収はされるが、溶鉱炉に投入されても微細粒の為に気化してしまい溶鉄とはならない。回収の時点では除外されるべき物だが、鉄屑回収、又は運送する場合に電磁石を使用する為に混同してしまう。実際には産業廃棄物である微細鉄屑を（３）セメント（１）砂（４）の割合で混合して簡単な型枠にて固化させる。また型枠を用いず、砂利、砂等の上に拳状に丸めて固化させて小礫を作る。この人口礁は実際に幅３５ｃｍ、長さ３４ｃｍ、高さ１５ｃｍの角形平面体のブロックを作成し実証試験中である。実際に実用化する場合においては、形状は施設場所に適合する形を選定、海流の状況に合わせて、３０００ｋｇから数１０ｋｇとし、拳大の小礫は浅海に適宜散設すべきと考察する。
【発明の効果】
本発明の鉄分混入人工礁の魚場への施設により、この人工礁より自然に溶出する鉄イオンの効果により有用海藻の胞子の着床を確実にし、磯焼けの防止と再生に最大の効果を発揮することは確実である。またこの人工礁は、海流や波浪による施設場所で移動礁同士の衝突、小型礫を浅海に散設した場合のころがり衝突等を生ずるが、この事で悪影響が生じない。なぜならば、この人工礁は、ブロック表面のみでなく礁全体にイオン発生原となる鉄分が含まれており、礫の表面が削られることで内部の鉄が露出イオンの放出が活発となる、尚、人工によって作られたブロック礫体であるため、表面からの浸食割れ瓦解等が生じる事が予想されるが、それによっても効果は失われず、永久的にイオンの放出が持続する。この事は従来試工されている工法では効果がいずれも３年以下しか効果が持続しないことと対象しても、最大の進歩と思考する。
【図面の簡単な説明】（１）本発明の人工礁は、施設場所条件に合致させ大小は問わない。下図は１例として示す。図１角型礁１００ｃｍ×１００ｃｍ×３０ｃｍとし、適宜な場所に貫通穴を２個もうける。この穴を利用して漁場敷設事の吊りフックとする。もう一つは、人工礁同士を連続平面敷設する場合に、この穴を利用しロープにて緊結して、波浪等による散越を防止する。この連結ロープは漁網で使用済みとなったロープを使用すれば充分である。（２）図２  この角形礁製作時の簡単な型枠を示す木板、ベニヤ、等適当な材料を使用。角形２つ割とし上下は不要でこれに材料を詰め込み、穴については丸くした木材を差し込み、少し固化した時点で取り外せば完成する。（３）小型人工礁、これは大きさ１０ｃｍ程度の丸型で、少々固めに混合したモルタルを手で丸めて地面上で固化させれば完成する。
【図１】
2012239468.tif 000003
(57)【要約】【課題】  農作物等の生産者が、直接販売する直売所で、野菜類の劣化を遅らせ、野菜の鮮度を長持ちさせるシステムを提供する。【解決手段】  農作物直売所の販売棚に、ビニールパイプや竹等縦半割り形状の水路を設置し、棚面上部にタコ糸や釣り糸等２本の糸を張り巡らし、その中に野菜等を立てて並べ、常時、水道水を流し、野菜の劣化を遅らせるシステムである。【選択図】図１
2012239465.tif 000002
【特許請求の範囲】
【請求項１】
販売棚の上に、ビニールパイプや竹等を縦半割りした物を、販売棚の長さに合わせて固定し、片端から水を流し、最下流まで、常時、水を流し続けるのを特徴とする販売所に於ける農作物や花き類の劣化を遅らせるシステム。
【請求項２】
野菜等は、水路に立てて置き倒れないよう、棚面上部に２本のタコ糸や釣り糸等を、野菜の大きさに合わせで張り巡らすのを特徴とする［請求項１］のシステム。
【請求項３】
タコ糸や釣り糸等の糸幅を、容易に調整するため、糸の両端を固定する特殊形状の脱着自在の支持具ピンを使用するのを特徴とする［請求項１］のシステム。
【発明の詳細な説明】
【技術分野】
【０００１】  本発明は、生産者直売店等での野菜、花き類等の鮮度を、長持ちさせるための方法に関するもの。
【背景技術】
【０００２】  直売店では、生産者が直接収穫した農作物を陳列棚に並べて販売しているが、特に葉っぱものの野菜類は劣化しやすい難点があった。
【先行技術文献】
【０００３】  水を利用する方法では農作物を種苗から育てる水耕栽培（例えば特許文献１参照）はあるが、本発明のような、収穫後の野菜類に、水路を利用して販売野菜の劣化を遅らせるシステムはなかった。
【特許文献１】特開２０１１−８７５２０
【発明の概要】
【発明が解決しようとする課題】
【０００４】  切り花や枝物などの花き類は、水を入れたバケツに入れて、鮮度を保つようにしているが、他の野菜類は、販売台に並べた時から劣化し始める。
本発明は、野菜類の鮮度を長持ちするためになされたものである。
【課題を解決するための手段】
【０００５】  販売棚の上にビニールパイプや竹等を縦半割りした形状の物を、販売棚の長さに合わせて固定し、片端から水を流し、最下流まで、常時、水を流し続ける。
また野菜類は、水の流れる水路の中に立てて並べ、棚面上部に２本のタコ糸や釣り糸を、野菜の大きさに合わせた幅で張り巡らし、さらに、タコ糸や釣り糸の幅の移動を容易にするため、糸の両端は、特殊なコの字形状のピンを利用するのを特徴とする販売所に於ける農作物や花き類の劣化を遅らせるシステムである。
【発明の効果】
【０００６】  直売所は、生産者が穫れたての新鮮な野菜を販売しているが、収穫後は、水分の蒸発で、鮮度はどんどん落ちている。
本発明の水道水の水路に野菜等を浸すシステムの利用により、お客様にみずみずしい野菜を、長時間提供出来るようになった。
【図面の簡単な説明】
【０００７】
【図１】  本発明の販売棚の斜視図
【発明を実施するための形態】
【０００８】  販売棚１の上に、ビニールパイプや竹等２を縦半割りした形状の物を、販売棚の長さに合わせて固定する。水源の片端３から水を流し最下流まで常時、水を流し地面の水受け４へ誘導する。
又は循環パイプ５と連結する小型の循環ポンプを回せば、大幅な水の節減にもつながる。
野菜類６は、水の流れる水路の中に立てて並べ、倒れないよう棚面上部に２本のタコ糸や釣り糸７を野菜の大きさに合わせた幅で張り巡らす。
タコ糸や釣り糸の幅の移動を容易にするため、糸の両端８は、特殊なコの字形状の脱着自在の支持具ピン９に結びつける。
【産業上の利用可能性】
【０００９】  このシステムの採用により、野菜は常時、水を吸い上げる事ができるため、現在の販売方法より数倍の鮮度保持を可能にする。
【符号の説明】
【００１０】１        販売棚
２        ビニールパイプ
３        水源
４        水受け
５        循環パイプ
６        野菜類
７        タコ糸や釣り糸
８        糸の両端
９        ピン
【図１】
2012239465.tif 000003
(57)【要約】【課題】回転転子が円盤である自助運転の出来る発電装置に置いて、Ｃ型又はＥ型コア−を発電素子として固定子に使用した場合、その組み立ては複雑となり無駄な空間が多くなって能力向上に限界があった。【解決手段】自助運転発電装置の円盤型回転子に対して、円盤の外周に添うよう、円形の発電素子取り付け金具にする、それは４分割された鞍橋を組み立てたものから成り、そのうちの一つの形体から鞍型固定子とした、Ｃ型コア−の変形改良として理想的な形体となった、能力の向上と、全体の形体もすっきりとまとまり実用に即した形となった円盤型回転子の為の鞍型固定子。【選択図】図２
2012239366.tif 000002
【特許請求の範囲】
【請求項１】
自助運転発電装置の円盤型回転子に対して、円盤の外周に添うよう円形の発電素子取り付け金具にする、その金具は４分割された鞍橋を組み立てたものから成り立って、１／４の一つの形体から鞍型固定子としたもので、Ｃ型コア−の変形改良として理想的な形体を作ることができる、能力の向上と、実用上最も重要な全体の形体もすっきりとまとまり実用に即した円盤型回転子の為の鞍型固定子。
【発明の詳細な説明】
【技術分野】
【０００１】  本発明は、回転子である円盤にＮ極、Ｓ極と交互に取り付けられた磁石によって発電をする自助運転発電装置に、発電力の拡大と、機能的合理性を追求したもので、本体となる鞍橋に発電素子である固定子コイルの他に、回転子に自助回転力の発生を促すための、電磁石を一体化したもので、円盤型回転子の為の鞍型固定子に関するものである。
【背景技術】
【０００２】  Ｅ型、又はＣ型コア−を発電素子として固定子に使用した場合、組み付ける際、機構的に複雑になる事と、その機構全体が大きくなり調整箇所も増えて、無駄な空間が多くなり回転子である円盤の周囲に取り付けられる固定子の数は限定されて、発電能力の拡大を追求する事に限界がある。
【発明の開示】
【発明が解決しようとする課題】
【０００３】  回転子である円盤の外周に沿うように固定子が実装される事が理想である。【０００４】  発電素子である固定子の数量も発電能力の拡大につながるため、その実装形態が課題となる。【０００５】  固定子の小型化と全体の機能的な纏まりを求める、本発明は、これらの問題点を解決するためになされたものである。
【課題を解決するための手段】
【０００６】  回転子の外周に沿って全体を円形にする、その円形は四分割されたものから構成されそれぞれは９０度の巾を持った鞍型にする。【０００７】  四つの鞍橋は各々連結のできる様、組み付け用の留め部分を持っていて、四つを連結する事によって、回転子の円盤周囲を囲むように円形にする事ができる。【０００８】  ９０度巾の鞍橋の両端の両側、つまり四隅に発電素子を取りつける、中央付近の両側に、回転子に取り付けられた磁石の間隔にあわせた巾で位置を前後に調節できる回転子円盤の自助回転力発生用電磁石を取り付ける、Ｃ型コア−の形態改良型として鞍型固定子に利点を見出すことができた。
【発明の効果】
【０００９】  上述したように、本発明の効果は円盤型の回転子に対して、Ｃ型コア−等を用いた固定子の組み付けの機構的複雑さと、空間の無駄をなくすことの解決となった。【００１０】  又、発電素子は、固定子を鞍型にした事で、ひとつの鞍橋に４個の取り付けが可能となり全体では１６個となり２．５倍に増やす事となり能力の増大と改善は果たされた。
【発明を実施するための最良の形態】
【００１１】  以下、本発明の実施の形態を図１〜図５に基づいて説明をする。【００１２】  図１は、鞍橋１を主体として、発電素子の鉄心２、そして回転子の円盤に自助回転力の発生を促す為の電磁石５、その取り付け金具４等の取り付け状態を示す斜視図で、発明実施の基本の構成を示すものである。【００１３】  図２は、９０度巾を１ブロックとする鞍の組み付けの状態を示す、正面図である。【００１４】  鞍型固定子を形作る鞍橋１は両端に組み付け用の突起をつけたジュラルミン製の鋳物で、発電素子の鉄心２に取り付け用の穴があり、鞍橋１への取り付け部分は凹凸が作られた嵌合いになっていて取り付けネジ７で留める、発電素子の鉄心２には固定子コイル３が巻かれている。
また、回転子の円盤に取り付けられた磁石の応用で、回転子に回転力の発生を促すためのコイル６を巻かれた電磁石５が取り付けられた電磁石取付金具４の鞍橋１への取り付けは、位置の調整用を含め取り付けネジ７で留める。【００１５】  上述したように構成された、９０度巾の鞍橋１が四つ結合され円形を作る、各鞍橋１の両端の突起は組み付け金具８を挟み組み付けネジ１３で固定する。
組み付け金具８はＵ字型で、各鞍橋１の継ぎ目に取り付けその先端は回転子の回転軸９の軸受け１０に集め固定する、軸受け１０にはその固定用の突起が付いている。【００１６】  図３、図４は上述のごとく構成された完成の姿図で一部断面を表します、連結された固定子は全体が円形にまとまり、無駄な出っ張りや複雑な調整はなくなり防塵や振動を防ぐカバ−１１もカバ−の取り付けネジ１２により簡単に付けられる、取り扱いが容易となり、能力の増大を可能にした。
【実施例】
【００１７】  また、全体の形態からして、需要によって５図のごとくカップリング１４を使用する事によって連結稼動も可能となり用途の範囲も広くなり本発明の効果が得られるものである。
【図面の簡単な説明】
【００１８】
【図１】  本発明の実施形態の基本構成を示す斜視図
【図２】  本発明の９０度巾１ブロックの組み付け状態を示す正面図
【図３】  本発明の組み立て完成の正面図で１部断面図
【図４】  本発明の組み立て完成の側面図
【図５】  本発明の実施例を示す連結稼動の側面図
【符号の説明】
【００１９】１    鞍橋
２    発電素子の鉄心
３    固定子コイル
４    電磁石取付金具
５    電磁石
６    コイル
７    取り付けネジ
８    組み付け金具
９    回転軸
１０  軸受け
１１  カバ−
１２  カバ−の取り付けネジ
１３  組み付けネジ
１４  カップリング
【図１】
2012239366.tif 000003
【図２】
2012239366.tif 000004
【図３】
2012239366.tif 000005
【図４】
2012239366.tif 000006
【図５】
2012239366.tif 000007
(57)【要約】      （修正有）【課題】インバータの出力段にスイッチング回路を設け、一台のインバータで複数台の移動体に充電可能とした給電システムを提供する。【解決手段】電源１と該電源１に接続されたインバータ３と該インバータ３に接続された一次コイル５からなる移動体用非接触給電装置の地上設備において、前記移動体に給電するための前記一次コイル５を２基以上設置し、前記インバータ３と前記一次コイル５の間に切り替えスイッチ４を設けることによって１台のインバータ３で複数台の前記移動体に充電可能とした。また、このシステムでは緊急車両など、優先度の高い車両に対して充電時間を長くするなどの方法で優先順位をつけることが可能である。【選択図】図１
2012239331.tif 000002
【特許請求の範囲】
【請求項１】
電源と該電源に接続されたインバータと該インバータに接続された一次コイルからなる移動体用非接触給電装置の地上設備において、前記移動体に給電するための前記一次コイルを２基以上設置し、前記インバータと前記一次コイルの間に切り替えスイッチを設けることによって１台のインバータで複数台の前記移動体に充電可能としたことを特徴とする非接触給電装置。
【発明の詳細な説明】
【技術分野】
【０００１】
本発明は、電気自動車及びハイブリッド電気自動車などの非接触給電システムに関わるものである。
【背景技術】
【０００２】
近年拡充されつつある、電気自動車などの給電システムの一つに、非接触給電方法がある。この方式の特徴は、プラグイン方式とことなり、誰にでも簡単に給電することができ且つ雨天時などでも非常に安全に給電することが可能な点にある。
【０００３】
しかし、非接触給電用インバータは高価であり、充電スタンドに駐車する全台数分インバータを用意するのは経済的でない。
【０００４】
そこで本発明は、インバータの出力段にスイッチング回路を設け、非接触給電地上コイルに順次通電することで、同時に複数台の車両に充電可能なシステムを提供する。
【０００５】
当然、緊急車両や、優先度合の高い車両に対して、通電時間を長くするような優先順位をつけることも可能である。
【先行技術文献】
【特許文献】
【０００６】
【特許文献１】特開２０１１−４９２３０号公報
【発明の概要】
【発明が解決しようとする課題】
【０００７】
解決しようとする問題点は、複数台の車両に同時給電しようとすると、インバータが高価なためシステム全体が高価なものになる。
【課題を解決するための手段】
【０００８】
本発明は、インバータの出力にスイッチング回路を設け、非接触給電地上コイルに順次通電することで、複数台の電気自動車などの移動体に充電可能なシステムを提供する。すなわち、電源と該電源に接続されたインバータと該インバータに接続された一次コイルからなる移動体用非接触給電装置の地上設備において、前記移動体に給電するための前記一次コイルを２基以上設置し、前記インバータと前記一次コイルの間に切り替えスイッチを設けることによって１台のインバータで複数台の前記移動体に充電可能としたことを特徴とする非接触給電装置とすることである。
【発明の効果】
【０００９】
本発明で一台のインバータで同時に複数台の車両に充電可能で且つ、緊急車両や、優先度合の高い車両に対して、通電時間を長くするような優先順位をつけることも可能である。
【図面の簡単な説明】
【００１０】
【図１】本発明の制御方法。（実施例１）
【図２】従来の制御方法。（実施例２）
【発明を実施するための形態】
【００１１】
インバータの出力段にスイッチング回路を設けることで実現できる。
【実施例１】
【００１２】
図１は、本発明で、一台のインバータで複数台の移動体に充電可能であり、且つ充電をする順番および充電時間などを設定することにより、優先順位を設けることが可能である。
【実施例２】
【００１３】
図２は、従来の制御方法で、一車両に一台のインバータが必要であった。
【産業上の利用可能性】
【００１４】
電気自動車及びハイブリッド電気自動車などの移動体の電気スタンドとして効率よく稼働させることができる。
【符号の説明】
【００１５】
１    電源
２    遮断器
３    インバータ
４    切り替えスイッチ
５    一次コイル
６    二次コイル
７    整流器
８    バッテリー
【図１】
2012239331.tif 000003
【図２】
2012239331.tif 000004
(57)【要約】      （修正有）【課題】ゴルフ競技のコンペで使用し、繰り返し使用できるゴルフフラッグを提供する。【解決手段】旗竿に取り付けた取付板３の片面に旗本体５を取り付け、取付板３の裏片面の上端部及び下端部にクリップ４を取り付け、このクリップ４と取付板３の間に、複数の氏名記入欄を記載したカ−ド６を差し込み、クリップ４によりカ−ド６を保持できるようにする。【選択図】図１
2012239858.tif 000002
【特許請求の範囲】
【請求項１】
旗竿に取付板を取り付け、この取付板の片面に旗本体を取り付け、前記取付板の裏片面の上端部及び下端部にクリップを取り付け、このクリップと取付板の間にプレ−ヤ−の氏名記入欄を記載したカ−ドを差し込むように構成したことを特徴とする、繰り返し使用できるゴルフフラッグ。
【発明の詳細な説明】
【技術分野】
【０００１】  本発明は、ゴルフ競技においてドラコン賞、ニアピン賞に使用するゴルフフラッグであって、繰り返し使用できるゴルフフラッグに関するものである。
【背景技術】
【０００２】  従来、ゴルフ競技のコンペで使用するドラコンフラッグやニアピンフラッグには、ボ−ルを最良の位置に付けたプレ−ヤ−の氏名を記入する氏名記入欄が記載されている。
この氏名記入欄には複数の氏名が記載できるようになっており、コンペ中の最終組がフラッグを回収して、ドラコン賞、ニアピン賞が決定される。そして、氏名記入欄に氏名を記入されたフラッグは、１回の使用により氏名記入欄がなくなるため、競技成績の確認が行われた後は廃棄されるのが常である。
【先行技術文献】
特許公開２００３−１２６３１６
【発明の開示】
【発明が解決しようとする課題】
【０００３】  １回きりの使用で殆んど傷みのないフラッグを、競技ごとに廃棄するのは、不経済であるばかりでなく、廃棄物を増やす原因とも成る。
本発明は、以上の問題点を解決し、ゴルフフラッグを繰り返し使用できるようになされたものである。
【課題を解決するための手段】
【０００４】  旗竿に取り付けた取付板の片面に旗本体を取り付け、前記取付板の裏片面の上端部及び下端部にクリップを取り付ける。
このクリップと取付板の間に、複数の氏名記入欄を記載したカ−ドを差し込み、クリップで保持できるようにする。
ゴルフ競技のコンペ毎に、この複数の氏名記入欄を記載したカ−ドを差し替えることで、繰り返し使用することができる。
本発明は、以上の構成よりなる、繰り返し使用できるゴルフフラッグである。
【発明の効果】
【０００５】  本発明により、複数の氏名記入欄を記載したカ−ドを差し替えるだけで、ゴルフフラッグを繰り返し使用でき、経済的であり、廃棄物を減らすことができる。
【発明を実施するための最良の形態】
【０００６】  以下、本発明の実施の形態を説明する。
（イ）旗竿（１）の上部に摘み部（２）を設けると共に、側面には旗本体（５）を固定するための取付板（３）を突出している。
（ロ）この取付板（３）の片面に旗本体（５）を取り付け、前記取付板（３）の裏片面の上端部及び下端部にクリップ（４）を取付ける。
（ハ）このクリップ（４）と取付板（３）の間に、複数の氏名記入欄を記載したカ−ド（６）を差し込み、クリップ（４）で保持する。
（ニ）この複数の氏名記入欄を記載したカ−ド（６）は競技終了後確認されたら抜き取り、複数の氏名記入欄を記載したカ−ド（６）のみを廃棄する。
次の競技には、新しい氏名記入欄を記載したカ−ド（６）を差し込み、繰り返し使用できるゴルフフラッグとなる。
（ホ）この複数の氏名記入欄を記載したカ−ド（６）は、取り替えようのものも作成する。
【図面の簡単な説明】
【０００７】
【図１】  本発明の斜視図
【図２】  本発明の使用状態を示した図
【図３】  図２におけるＡ−Ａ断面図
【符号の説明】（１）  旗竿
（２）  摘み部
（３）  取り付け板
（４）  クリップ
（５）  旗本体
（６）  複数の氏名記入欄を記載したカ−ド
（７）  指掛け切り取り部
【図１】
2012239858.tif 000003
【図２】
2012239858.tif 000004
【図３】
2012239858.tif 000005
(57)【要約】      （修正有）【課題】飼育ペットのペットが遊びながら運動し、ストレスを発散でき、人間もペットも一緒に楽しめる玩具を提供する。【解決手段】マッサージトーイは、押したり引いたり、軽く肩たたきのように叩いたりするマッサージ効果と、回転させたり、ヤジロベーのように固定して左右のバランスで勝手に運動しながら遊ぶ玩具によりストレスから解放される。【選択図】図１
2012239851.tif 000002
【特許請求の範囲】
【請求項１】
図１の板状、（丸状、角状、楕円状等を含む）の任意の長さの材料に、図２のトンカチ部、図３のカキ手部、図９、９ａのウエーブ状の波型部、図６の穴部、図６ａのヤジロベー部、図１０、１０ａの縄材の通し穴部，図７の縄状のグリップ部、図８の縄状の先端部分を結び部、図８ａの任意の長さによる縄部、図１１の凸部を有することを特徴とするマッサージトーイ。
【請求項２】
前記マッサージトーイは、かき手部図３でペットのお腹部、耳の付け根部、しっぽの付け根部等を引っかくようにし、図７の縄によるグリップを有しマッサージと玩具を兼用する構造を特徴とする請求項１乃記載のマッサージトーイ。
【請求項３】
前記マッサージトーイは、図１０ａの穴部より縄を長めに通しグリップの丸みを付けることと、図１０ａの穴部の角度で抜ける防止になる。図１０ａより巻きながらグリップ部をつくり図１０の穴部を通し図１０の角度を利用した止め方を有し、縄の先端部に結び目をつけることにより縄の結び目が重りの役目を有し玩具となる。図２のとんかち機能の部分はグリップとしての機能を持ち合わせ、とんかち機能の部分を握り回転させることにより、縄の結び目の重りが役目になり、両方で持つことのできる玩具の構造を特徴とする請求項１乃至２記載のマッサージトーイ。
【請求項４】
前記マッサージトーイは、図９、９ａの波状の形状により、軽く力を加え押したり引いたりすることにより、ペットのマッサージのできる構造を特徴とする請求項１乃至る３記載のマッサージトーイ。
【発明の詳細な説明】
【技術分野】
【０００１】本発明は、飼育ペットの玩具、遊具に関するものである。
【背景技術】
【０００２】
【先行技術文献】
【特許文献】
【０００３】
【特許文献１】
【特許文献２】
【非特許文献】
【０００４】
【非特許文献１】
【非特許文献２】本発明は、猫及び犬のストレスを発散させるマッサージ機能付き玩具と遊具を合体した構造で組み合わせた機能を有する玩具に関する。
【発明の概要】
【発明が解決しようとする課題】
【０００５】上記の問題を解決するために本発明のマッサージトーイは各種の機能を組み合わせたことにより、飼育動物のストレスを発散させる機能を有し、人と飼育ペットが一緒に遊べることを提供することを目的としている。
【問題を解決するための手段】
【０００６】上記の目的を達成するために本発明に係る各所の機能により飼育動物のペットがストレスを発散させ、リラックスに過ごせる環境ができ、人もペットと共に遊べる環境を提供できる。
【発明の効果】
【０００７】１．各所に機能を設けることにより、飼育動物のペットが好む習性を利用して、ペットが自在に遊べる機能が確保され玩具の遊具としての機能を兼用できる。
２．本体は、飼育ペットばかりでなく、人間も一緒に楽しめる機能で双方がリラックスしながら楽しめる構造。
【図面の簡単な説明】
【０００８】
【図１】断面図
【発明を実施するための形態】
【０００９】
【実施例１】
【００１０】以下、添付図面を参照しながら、本発明の実施の形態を詳細に説明する。【００１１】図１においては、一体化したことによりペットのマッサージ、玩具、遊具、爪みがき等のシステム的な使用が可能である。
【産業上の利用可能性】
【００１２】複合の機能を有す。
【符号の説明】
【００１３】１      本体
２      とんかち機能
３      お腹コキコキ機能。
４      溝の機能により軽くお腹・腰・耳の個所を叩く
４ａ    折り返しの部分で、背中、お腹をくすぐるように上下、左右に押したり引いたりする機能。
４ｂ    爪の部分で抜け毛をかきとる機能。
５      竹の弾力を利用した、平面での押しつけマッサージ機能
６      ヤジロベー用ひも通し穴。
６ａ    ヤジロベー用の紐
７      グリップ部に麻縄を巻き付けることにより、猫の爪磨き機能。
８      グリップ部からのびる麻縄で先端部に拳状に麻縄を巻き猫の玩具機能。
８ａ    グリップ部からのびる麻縄で回転及び左右にゆさぶる猫の玩具機能。
９      大きいウェーブ状の部分で背中・お腹等を押したり、引いたりするマッサージ機能。
９ａ    小さいウェーブ状の部分で背中・お腹等を押したり、引いたりするマッサージ機能。
１０    グリップ用の縄を固定するための穴。
１０ａ  グリップ用の縄を固定するための穴。
１１    凸部による押しつけるようにして使用する指圧マッサージ機能。
【図１】
2012239851.tif 000003
(57)【要約】      （修正有）【課題】ウインドブレーカー等の上着と一体化したリュックサックを提供する。【解決手段】ウインドブレーカー１等の上着の左右それぞれ袖部分２と前身頃３の脇部分を、背中に面した側のリュックサック４左右側面で縫合し、ウインドブレーカー１等の上着の帽子部分５を、背中に面した側のリュックサック４の上位部分で縫合する。ウインドブレーカー１等の上着の前身頃３中央に開閉部分を設け、リュックサック４の左右両側に収納部分６に設け、リュックサック４の上位部分に収納部分６を設け、ウインドブレーカー１等の上着と一体化した。【選択図】図１
2012239857.tif 000002
【特許請求の範囲】
【請求項１】
ウインドブレーカー等の上着の左右それぞれ袖の部分と前身頃の脇の部分を、背中に面した側のリュックサック左右側面で縫合し、ウインドブレーカー等の上着の帽子部分を、背中に面した側のリュックサックの上位部分で縫合し、前身頃中央に開閉部分を設け、リュックサックの左右両側に収納部分を設け、リュックサックの上位部分に収納部を設けた上着収納型リュックサック。
【発明の詳細な説明】
【技術分野】
【０００１】  本発明は、ウインドブレーカー等の上着を縫合して収納したリュックサックに関するものである。
【背景技術】
【０００２】  従来、ウインドブレーカー等の上着とリュックサックは別々のものであり、ウインドブレーカー等の上着を着用した上に、リュックサックを背負う場合が多いことが知られている。
【発明の概要】
【発明が解決しようとする課題】
【０００３】  ウインドブレーカー等の上着とリュックサックを一緒に持ち運ぶ場合には、リュックサックの中に収納するか、ウインドブレーカー等の上着を常時着用していなければならない。そのため、必要時にはその都度、ウインドブレーカー等の上着とリュックサックの着脱を繰り返し行なわなければならない。ウインドブレーカー等の上着を収納する際には、リュックサックの限られたスペースを占領してしまうことになる。
本発明は、以上の問題点を解決するためになされたものである。
【課題を解決するための手段】
【０００４】  ウインドブレーカー等の上着の左右それぞれ袖の部分と前身頃の脇の部分を、背中に面した側のリュックサック左右側面で縫合し、ウインドブレーカー等の上着の帽子部分を、背中に面した側のリュックサックの上位部分で縫合する。ウインドブレーカー等の上着の前身頃中央に開閉部分を設け、リュックサックの左右両側に収納部を設け、リュックサックの上位部分に収納部を設ける。
以上の構成よりなる上着収納型リュックサック。
【発明の効果】
【０００５】  本発明は、ウインドブレーカー等の上着とリュックサックを縫合して一体化することによって、同時に持ち運びすることができ、それぞれ着脱せず同時に使用することができる。さらに、ウインドブレーカー等の上着をリュックサックに収納しても、リュックサック内の収納スペースを保持することができる。
【図面の簡単な説明】
【０００６】
【図１】本発明の使用状態を示す図
【図２】本発明の背面図
【発明を実施するための形態】
【０００７】  以下、本発明の実施の形態を説明する。
（イ）ウインドブレーカー（１）等の上着の左右それぞれ袖（２）の部分と前身頃（３）の脇の部分を、背中に面した側のリュックサック（４）左右側面で縫合する。
（ロ）ウインドブレーカー（１）等の上着の帽子（５）部分を、背中に面した側のリュックサック（４）の上位部分で縫合する。
（ハ）前身頃（３）中央に開閉部分を設ける。
（ニ）リュックサック（４）の左右両側に収納（６）部を設ける。
（ホ）リュックサック（４）の上位部分に収納（６）部を設ける。
本発明は、以上のような構造である。
本発明を使用する時は、
通常のリュックサック（４）と同様に背負い、必要時には左右両側の収納（６）部分から袖（２）部分と前身頃（３）部分を取り出し、袖（２）部分に腕を通してウインドブレーカー（１）等の上着を着用し、前身頃（３）中央の開閉部分を閉じる。さらに、必要時に収納してある帽子（５）部分を取り出し着用する。
【符号の説明】
【０００８】  １  ウインドブレーカー、２  袖、３  前身頃、４  リュックサック、５  帽子
６  収納部
【図１】
2012239857.tif 000003
【図２】
2012239857.tif 000004
(57)【要約】【課題】従来の製品は、タオルに水を濡らし体に密着させる事により体の熱を水に熱交換によって冷却させていたものです。冷やされた水で無ければ効果を発揮する事ができず、水の温度が体温まで達してしまうことで熱交換の限界がありました。【解決手段】マイクロ及びナノファイバー等の中空素材を使用し表面積を増やし気化を促進させることによって気化熱を利用し冷却する事が出来ます。効果が薄れてきた場合でも、素材に衝撃を与えることで毛細管現象を誘発し均等に水分を送ることが出来ます。【特許請求の範囲】
【請求項１】
マイクロ及びナノファイバー等の極細繊維を使用し、生地に水分をしみこませた後に発生する気化熱を利用し体からの熱量を奪うことで冷却させる。
【請求項２】
熱量を気化させる工程で生地内の水分が均一に保たれなくなった場合、素材に衝撃を与えることで毛細管現象を誘発させ水分量を均一化させる。
【発明の詳細な説明】
【技術分野】
【０００１】  本発明は液体が気化する時に発生する熱交換を利用したものである。
【背景技術】
【０００２】気化熱とは物質が気化するさいに物質が接している物から熱を奪って蒸発します。
我々がこの現象を利用すれば、物質を冷却するのに、別のエネルギーを使用しない為、ＣＯ２などを発生させず、クリーンな冷却触媒を作る事が出来ます。
【発明の概要】
【発明が解決しようとする課題】
【０００３】従来の製品は、タオルに水を濡らし体に密着させる事により体の熱を水に熱交換によって冷却させていたものです。水の温度が体温まで達してしまうことで限界がありました。
【課題を解決するための手段】
【０００４】マイクロファイバー等の中空素材を使用し表面積を増やし気化を促進させることによって気化熱を利用し冷却する事が出来ます。効果が薄れてきた場合でも、素材に衝撃を与えることで毛細管現象を誘発し均等に水分を送ることが出来ます。
【発明の効果】
【０００５】物質名          沸点              気化熱（ｃａｌ／ｇ）      ｋｊ／ｋｇ
水          １００                    ５３２                ２２５０
エタノール      ８０                      ９３                  ３９３
水銀          ３５７                      ６７                  ２８５
液体酸素    −１８３                      ５０                  ２１３
液体窒素    −１９６                      ４７                  １９９
（ｃａｌ／ｇ・ｋｊ／ｍｏｌ）：１ｇの液体を気体に変えるのに必要な熱量。
気化熱が大きいほど気化するのに多くの熱量（熱エネルギー）を必要とする。よって気化熱が大きい物質ほど気化する時に周囲から多くの熱を奪う為、冷却効果が大きい。
使用される繊維内に水を浸透させる性質を利用し、製品の表面積を大きくし気化を促す。
【実施例】
【０００６】サウナなどでは、人間の汗により肌を火傷から守ります。サウナの中は、高温でも乾燥し湿度が非常に低くなっています。その中に人が入ると身体から汗が流れ、その汗が蒸発する時に体から気化熱が熱を奪う為に火傷をしない理由の一つです。【０００７】風呂上がりに体に水分を残しておくと、体が冷えたり、涼しいからと水分を残して扇風機などで風をあてると風邪をひいてしまったりした経験をした方は多いでしょう。
これは水が液体から気体になるときには熱が必要だからです。【０００８】ランプなどは、液体燃料が水の代わりをします。ランプに灯りが燈る場合は、液体燃料が液体のまま燃える事はできません。液体燃料は気体になってから燃えます。これを蒸発燃焼と言います。ランプなどでは、木綿や紙の芯を使用し燃やします、これを芯燃焼と言います。この場合は液体燃料が有る限りは、気化熱（蒸発熱）を周囲から奪い冷やします。そのため木綿や紙の芯は燃えません。但し、液体燃料の燃え終わりの時には気化熱（蒸発熱）で周囲が冷やされない為、芯が多少焦げる場合はあります。【０００９】ＡＱ  ｒｅｆｒｅｓｈを水分に濡らし、体に触れることによって製品に付着した水分が気化する際に発生する気化熱を利用し体温を下げる効果があります。冷水に限らず、熱湯からも同じ効果を望むことが出来ます。
(57)【要約】【課題】組立が簡単で軽く折畳むとスリムな厚紙の読書台を提供する。【解決手段】一枚の厚紙を天板、脚部、脚部固定部、梁にそれぞれを切り出す、またはＣＡＤＣＡＭで切り取り線、或は折り曲げ線を入れる。脚部固定板を糊付けした後、脚部と梁を立体的に直交交差させて、頑丈な読書台に組む。また携行するときは図５Ｄのように折畳み、本と共に鞄に入れて運べる。【選択図】図６Ｅ
2012239862.tif 000002
【特許請求の範囲】
【請求項１】
天板の両側に配置された、直角に開閉する一対の脚部の溝とその一対の脚部に、立体的に直交する梁の溝を噛み合わせ、梁の一辺が天板の下側に接するまで回転させ、天板と梁との密着圧で固定する。
【発明の詳細な説明】
【技術分野】
【０００１】合板，プラスチィック、針金などの素材で、安価で簡単な読書台は数多く市販されているが、本特許は厚紙片を立体的に噛みあわせ、頑丈で簡単に折畳める携行できる読書台を提案するものである。
【背景技術】
【０００２】近来、精度の高い加工のできるＣＡＤＣＡＭが進歩し、その一分野であるパッケージングが印刷技術と組合せ、近代的な包装箱産業になっている。
本発明も裁断機による台紙の切り取りだけではなく、ＣＡＤＣＡＭによる精細な切り抜き加工により、短期間で開発試作を行い、安価に量産が可能となる背景技術を取り入れた。
【発明の開示】
【発明が解決しようとする課題】
【０００３】１キログラムを越える分厚辞書や書籍を天板に載せると、天板が撓んだり、破損する場合を考え、本発明はその欠点を、大掛かりなメカニズムを使うことなく、簡単に解決するものである。
【課題を解決するための手段】
【０００４】読書台が組み上がった場合、天板図１Ａを下から支える脚部図４ＣＣの脚溝（５）と梁図２Ｂの梁溝（１）をほぼ立体的に直交してかみ合うように設計配置し、さらに噛み合った後の脚部及び梁の動きを最小限にとどめるために，梁に捩れ応力を掛けるように、左右脚部の溝の位置を僅かにずらせる。この応力により溝同士のずれを少なくする。【０００５】また天板上の本の重さによる撓みを防ぐため，天板裏側に、梁の一辺を密着させる。また脚部固定板図３Ｃを天板裏側に糊付けしこれと図５Ｄで示すような連結をさせ、これにより脚部図４ＣＣもまた天板を支える。【０００６】本の下方への滑りを止めるために，天板下辺の中央付近に適当な高さの滑り止や、市販のクリップやばね挟みを使い、本の下辺を支えると、本の載置が安定する。
【発明の効果】
【０００７】Ａ４判までの大きさの図書サイズに合わせて、天板の大きさやその他の部材のサイズを決めれば、Ａ４判図書までは載置可能であるが大きくなれば厚紙の厚みを２ミリメートルにすることが勧められる。
【実施例１】
【０００８】天板図１Ａ〜図４ＣＣで示され組み立てられる読書台は厚紙から各部が切り出されて連結接着し、組み上げられる読書台で、その折畳収納図は図５Ｄの通りで、軽くて簡単に携行可能である。【０００９】図６Ｅは、パッケージ製作で広く使用されるＣＡＤＣＡＭ装置により、一枚の台紙に、図６Ｅで示されるような切り込み線を切り込む。斜線部分を天板裏面に接着した後、図２Ｂの梁を切り離して、脚部と噛み合わせると図７Ｆの読書台になる。
【図面の簡単な説明】
【００１０】
【図１Ａ】本図は天板で、本を載置する四角形の厚紙板である。
【図２Ｂ】本図は梁で、脚部と立体的に直交し、脚部を固定し、且つ天板の撓みを抑止する。
【図３Ｃ】本図は脚部固定板で、天板の両側に配置され、糊付け固定される。その一辺は脚部と連結接合している。凹部には梁の両端が収納される。
【図４ＣＣ】本図は天板を下から支える脚部である。中央部に円形にくり貫かれた脚溝ガイドがあり中央に梁と立体交差するための脚溝がある。脚部は天板に対して垂直の位置まで開き、且つ予め設計された傾斜角度を天板に与える。
【図５Ｄ】本図は折畳収納図で、図１Ａ〜図４ＣＣまでの部材を折畳んで、天板の裏側に収納した図である。
【図６Ｅ】本図は１枚の厚紙台紙をＣＡＤＣＡＭにより切込みを入れた読書台の展開図である。
【図７Ｆ】本図は、図５Ｄを組み立てた読書台の後方からの見た鳥瞰図である。
【符号の説明】
【００１１】（１）    梁溝
（２）    脚起し孤形ガイド
（３）    梁収納スペース
（４）    脚溝円形ガイド
（５）    脚溝
【図１Ａ】
2012239862.tif 000003
【図２Ｂ】
2012239862.tif 000004
【図３Ｃ】
2012239862.tif 000005
【図４ＣＣ】
2012239862.tif 000006
【図５Ｄ】
2012239862.tif 000007
【図６Ｅ】
2012239862.tif 000008
【図７Ｆ】
2012239862.tif 000009